(57)【要約】【課題】３次元空間に作成されたモールドベースの金型ブロックの３次元立体図形から、３角法に基づき、加工用の２次元図を作成するのに際して、看視方向から直接見えない部分の形状については、指定した部分のみ、隠線等で表示することが可能な２次元図を作成するＣＡＤ装置を提供する。【解決手段】金型ブロックの３次元立体図形１から、３角法に基づき２次元図面を作成するＣＡＤ装置を、上記の３次元立体図形１から２次元図を作成する２次元図作成手段２、金型ブロックの断面を表示する造作部分を指定する断面表示部分指定手段３、上記断面を投影する２次元面を選択する指定投影面選択手段４、及び、上記断面形状を作成する断面図作成手段５を備えて構成する。【選択図】図１
2007080080.tif 000002
【特許請求の範囲】
【請求項１】
造作部分が形成されている金型ブロックの３次元立体図形から、３角法に基づき２次元図を作成するＣＡＤ装置であって、
前記金型ブロックの３次元立体図形の正面、背面、平面、底面、左側面、又は、右側面の２次元面における前記造作部分の直視可能な形状を投影して、該形状を実線の輪郭線で表示した正面図、背面図、平面図、底面図、左側面図、又は、右側面図の２次元図の少なくとも一つを作成する２次元図作成手段と、
前記２次元図作成手段により作成されたいずれかの前記２次元図上に表示されている任意の前記造作部分における該２次元図に垂直な断面を表示させるために、該造作部分をユーザの指示に基づき該２次元図上で指定すると共に、該２次元図を基本図とする断面表示部分指定手段と、
前記断面表示部分指定手段により指定された前記造作部分の断面を投影する投影面として、前記基本図の名称と同名の前記２次元面である基本面と隣接する前記２次元面のいずれかを、前記ユーザの指示に基づき選択すると共に、該２次元面を指定投影面とする指定投影面選択手段と、
前記断面表示部分指定手段により指定された前記造作部分の断面を、前記指定投影面に投影して、断面図を作成する断面図作成手段と、を備えたことを特徴とするＣＡＤ装置。
【請求項２】
前記指定投影面選択手段は、前記指定投影面の選択を、前記２次元図作成手段により作成された前記２次元図の中から、前記指定投影面の名称と同名の前記２次元図を前記ユーザの指示に基づき選択することにより行う請求項１記載のＣＡＤ装置。
【請求項３】
前記断面図作成手段は、前記断面表示部分指定手段により指定された前記造作部分の断面を、前記指定投影面の名称と同名の前記２次元図である指定投影図に投影して、前記断面図の作成に代えて、該指定投影図上に表示する請求項２記載のＣＡＤ装置。
【請求項４】
前記造作部分は、穴、又は、少なくとも一つの底面を備えた凹部、或いは、その双方で形成されている請求項１〜３のいずれか１項に記載のＣＡＤ装置。
【請求項５】
前記断面表示部分指定手段は、断面を表示させる前記凹部の指定を、該凹部における任意の底面と、該底面を通過する任意の切断面とを、前記基本図上に前記ユーザの指示に基づき指定することにより行うと共に、
前記断面図作成手段は、前記切断面を前記指定投影面に投影して前記断面図を作成すると共に、該断面図において、前記断面表示部分指定手段で指定された前記底面よりも深い位置の断面形状を無視し、該無視により生じる前記断面形状の不連続部分を、連続するように線分で補完する請求項４記載のＣＡＤ装置。
【請求項６】
前記断面表示部分指定手段は、断面を表示させる前記凹部における前記底面を通過する前記切断面の指定を、前記基本図上における前記凹部の輪郭線上に位置する任意の２点を結んで形成され、且つ、前記底面上を通過する線分を、前記ユーザの指示に基づき指定することにより行う請求項５記載のＣＡＤ装置。
【請求項７】
前記断面表示部分指定手段は、断面を表示させる任意の前記穴の指定を、前記基本図上に輪郭線で表示されている前記穴を、前記ユーザの指示に基づき、四角の枠で囲むことにより行うと共に、
前記断面図作成手段は、前記断面表示部分指定手段により指定された前記穴の中心を通る切断面を、前記指定投影面に投影して前記断面図を作成する請求項４〜６のいずれか１項に記載のＣＡＤ装置。
【請求項８】
前記金型ブロックの外表面に連なるエッジ部分には、面取がなされており、
前記２次元図作成手段は、前記面取の稜線を描かずに前記２次元図を作成する請求項１〜７のいずれか１項に記載のＣＡＤ装置。
【請求項９】
造作部分が形成されている金型ブロックの３次元立体図形から、３角法に基づき２次元図を作成するＣＡＤ装置により行われる２次元図作成方法であって、
前記金型ブロックの３次元立体図形の正面、背面、平面、底面、左側面、又は、右側面の２次元面における前記造作部分の直視可能な形状を投影して、該形状を実線の輪郭線で表示した正面図、背面図、平面図、底面図、左側面図、又は、右側面図の２次元図の少なくとも一つを作成する２次元図作成ステップと、
前記２次元図作成ステップで作成されたいずれかの前記２次元図上に表示されている任意の前記造作部分における該２次元図に垂直な断面を表示させるために、該造作部分をユーザの指示に基づき該２次元図上で指定すると共に、該２次元図を基本図とする断面表示部分指定ステップと、
前記断面表示部分指定ステップで指定された前記造作部分の断面を投影する投影面として、前記基本図の名称と同名の前記２次元面である基本面に隣接する前記２次元面のいずれかを、前記ユーザの指示に基づき選択すると共に、該２次元面を指定投影面とする指定投影面選択ステップと、
前記断面表示部分指定ステップで指定された前記造作部分の断面を、前記指定投影面に投影して、断面図を作成する断面図作成ステップと、を備えたことを特徴とする２次元図作成方法。
【請求項１０】
前記指定投影面選択ステップでは、前記指定投影面の選択を、前記２次元図作成ステップで作成された前記２次元図の中から、前記指定投影面の名称と同名の前記２次元図を前記ユーザの指示に基づき選択することにより行う請求項９記載の２次元図作成方法。
【請求項１１】
前記断面図作成ステップでは、前記断面表示部分指定ステップで指定された前記造作部分の断面を、前記指定投影面の名称と同名の前記２次元図である指定投影図に投影して、前記断面図の作成に代えて、該指定投影図上に表示する請求項１０記載の２次元図作成方法。
【請求項１２】
前記造作部分は、穴、又は、少なくとも一つの底面を備えた凹部、或いは、その双方で形成されている請求項９〜１１のいずれか１項に記載の２次元図作成方法。
【請求項１３】
前記断面表示部分指定ステップでは、断面を表示させる前記凹部の指定を、該凹部における任意の底面と、該底面を通過する任意の切断面とを、前記基本図上に前記ユーザの指示に基づき指定することにより行うと共に、
前記断面図作成ステップでは、前記切断面を前記指定投影面に投影して前記断面図を作成すると共に、該断面図において、前記断面表示部分指定ステップで指定された前記底面よりも深い位置の断面形状を無視し、該無視により生じる前記断面形状の不連続部分を、連続するように線分で補完する請求項１２記載の２次元図作成方法。
【請求項１４】
前記断面表示部分指定ステップでは、断面を表示させる前記凹部における前記底面を通過する前記切断面の指定を、前記基本図上における前記凹部の輪郭線上に位置する任意の２点を結んで形成され、且つ、前記底面上を通過する線分を、前記ユーザの指示に基づき指定することにより行う請求項１３記載の２次元図作成方法。
【請求項１５】
前記断面表示部分指定ステップでは、断面を表示させる任意の前記穴の指定を、前記基本図上に輪郭線で表示されている前記穴を、前記ユーザの指示に基づき、四角の枠で囲むことにより行うと共に、
前記断面図作成ステップでは、前記断面表示部分指定ステップで指定された前記穴の中心を通る切断面を、前記指定投影面に投影して前記断面図を作成する請求項１２〜１４のいずれか１項に記載の２次元図作成方法。
【請求項１６】
前記金型ブロックの外表面に連なるエッジ部分には、面取がなされており、
前記２次元図作成ステップでは、前記面取の稜線を描かずに前記２次元図を作成する請求項９〜１５のいずれか１項に記載の２次元図作成方法。
【請求項１７】
請求項９〜請求項１６のいずれか１項に記載の２次元図作成方法が有する各ステップを備えており、ＣＡＤ装置が実行可能な２次元図作成プログラム。
【請求項１８】
請求項１７に記載の２次元図作成プログラムが記録されたプログラム記録媒体。
【発明の詳細な説明】
【技術分野】
【０００１】
本発明は、３次元空間に作成された金型ブロックの３次元立体図形から、３角法に基づき２次元図を作成するＣＡＤ装置、該ＣＡＤ装置により行われる２次元図作成方法、該２次元図作成方法に基づく２次元図作成プログラム及び該プログラムを記録したプログラム記録媒体に関する。
【背景技術】
【０００２】
近年、樹脂製成形品等の製造に使用される射出成形用の金型として、モールドベースが多く使用されている。このモールドベースは、成形機に装着して使用する際に必要な、金属製の固定側取付板や、固定側型板、可動側型板、可動側取付板等の規格化された全てのブロックやピン類等のパーツをセットで組込んだものである。このモールドベースを使用すると、成形品の雌型であるキャビティや雄型であるコアの設計のほか、これらのキャビティやコアをモールドベースに嵌め込んで使用するための、モールドベースの各ブロックの加工設計をするだけで、樹脂射出成形用の金型の設計を行うことができる。そのため、設計工数の低減や設計期間の短縮等を図ることができる利点がある。
【０００３】
そこで、モールドベースを使用する際には、上記のモールドベースの各ブロック（以下、これらのブロックを、本明細書では、「金型ブロック」と称する）における加工設計が必要であるが、この加工設計には、最近では、従来から用いられてきた２次元図面作成用の２次元ＣＡＤ(Computer Aided Design)に代わって、３次元ＣＡＤが用いられている。この３次元ＣＡＤは、設計された対象物を立体的に表現することができ、しかもその看視方向を変えることができることから、設計された対象物の形状を容易に把握することができる特徴を備えている。
【０００４】
この特徴は、金型ブロックの加工設計においても、重宝される点ではある。しかしながら、２次元図面の利便性も無視し難く、金型ブロックの加工用図面として、２次元図面の必要性も皆無ではない。そのため、３次元ＣＡＤでは、３次元立体図形から２次元図面を作成する機能が備えられており、これらの機能を用いて、金型ブロックの加工用の２次元図面が作成されている。
【０００５】
２次元図面では、一般的に、看視方向から直接見える形状は、実線で表され、看視方向から直接見えない形状は、点線等を用いて、隠線として表示される（例えば、特許文献１の図４、図５、図７、及び、図８参照）。金型ブロックの加工設計においても、この点は同様であり、例えば、キャビティが嵌め込まれる固定側型板において、キャビティが嵌め込まれる面を平面とすると、平面の表面上に形成されている凹部分等は、平面から全て直接見えるが、正面からは直接見えない。従って、これらの平面の表面上に形成されている凹部分等は、固定側型板の平面図では実線で表示されるが、正面図では、隠線である点線で表示される。
【特許文献１】特開２００１−９２８６５号公報
【発明の開示】
【発明が解決しようとする課題】
【０００６】
ところで、上記の金型ブロックは、金属製の金型ブロックを切削したり穿穴したりして加工され、これらの加工作業を行うのに、現在では、３次元ＣＡＤデータを用いたＮＣマシンが用いられる。上記の金型製作用の２次元図面は、主として、これらの作業におけるＮＣマシンの設定確認や加工後の確認等を行うために用いられる。しかし、例えば、穿穴は、穴の中心座標と直径及び深さのデータを用いてボールマシンを制御することで、正確に行うことができることから、これらの穴の側部の形状を、例えば、上記の例で、正面図に隠線として表示することは、必ずしも必要ではない。
【０００７】
ところが、上述したように、一般には、ＣＡＤで作成された２次元図面には、看視方向から直接見えない形状は、全て、点線等を用いて隠線として表示される。この点は、金型ブロック加工用の２次元図面も例外ではなく、このため、複数の隠線が重なり合って、非常に見にくい図面となっている。そのため、金型の製造現場では、ＣＡＤで作成された金型製作用の２次元図面から、不要の隠線を消す作業が行われていた。
【０００８】
そこで、この発明は、このような状況に対処するためになされたものであって、３次元空間に作成された金型ブロックの加工用の３次元立体図形から、３角法に基づき、加工用の２次元図を作成するのに際して、看視方向から直接見えない部分の形状については、指定した部分のみ、隠線等で表示することが可能な２次元図を作成するＣＡＤ装置を提供しようとするものである。
【課題を解決するための手段】
【０００９】
本発明は、３次元空間に作成された金型ブロックの３次元立体図形から、３角法に基づき、金型製作用の２次元図を作成するに際して、ユーザが指示した凹部や穴についてのみ、その断面形状を表示しようとするものである。
【００１０】
図１は、本発明のＣＡＤ装置の構成を示したブロック図である。図１において、本発明のＣＡＤ装置は、造作部分が形成されている金型ブロックの３次元立体図形１から、３角法に基づき２次元図を作成するＣＡＤ装置である。このＣＡＤ装置は、２次元図作成手段２、断面表示部分指定手段３、指定投影面選択手段４、及び、断面図作成手段５を備えていることを特徴としている。
【００１１】
この内、２次元図作成手段２は、金型ブロックの３次元立体図形１の正面、背面、平面、底面、左側面、又は、右側面の２次元面における造作部分の直視可能な形状を投影して、該形状を実線の輪郭線で表示した正面図、背面図、平面図、底面図、左側面図、又は、右側面図の２次元図の少なくとも一つを作成する機能を備えている。
【００１２】
断面表示部分指定手段３は、２次元図作成手段２により作成されたいずれかの２次元図上に表示されている任意の造作部分における該２次元図に垂直な断面を表示させるために、該造作部分をユーザの指示に基づき該２次元図上で指定すると共に、該２次元図を基本図とする機能を備えている。
【００１３】
指定投影面選択手段４は、断面表示部分指定手段３により指定された造作部分の断面を投影する投影面として、基本図の名称と同名の２次元面である基本面と隣接する２次元面のいずれかを、ユーザの指示に基づき選択すると共に、該２次元面を指定投影面とする機能を備えている。
【００１４】
そして、断面図作成手段５は、断面表示部分指定手段３により指定された造作部分の断面を、上記指定投影面に投影して、断面図を作成する機能を備えている。
【００１５】
尚、上記の「基本図の名称と同名の２次元面である基本面に隣接する２次元面のいずれか・・・」において、「基本図の名称と同名の２次元面である基本面」とは、例えば、「基本図」が「正面図」の場合は、「基本図の名称と同名の２次元面」は「正面」であり、この「正面」が「基本面」であることを意味している。又、「基本面に隣接する２次元面」とは、上記の例では、「基本面」が「正面」であることから、「正面に隣接する平面、底面、左側面、又は、右側面」であることを意味している。従って、「基本面に隣接する２次元面のいずれか」は、上記の例では、「平面、底面、左側面、又は、右側面のいずれか」であることを意味している。
【００１６】
上記のＣＡＤ装置によれば、ユーザの指示により、断面表示部分指定手段３が、金型ブロックにおける、任意の造作部分を指定すると共に、ユーザの指示により、投影面選択手段が、指定投影面を選択することにより、指定された造作部分の断面が、選択された指定投影面に投影された断面図が作成される。そのため、ユーザが指示した造作部分の断面形状のみが表示され、ユーザが指示しない他の造作部分の断面形状は表示されない断面図を作成することができる。従って、非常に見やすい２次元図を作成することができる。
【００１７】
上記のＣＡＤ装置において、指定投影面選択手段４は、指定投影面の選択を、２次元図作成手段２により作成された２次元図の中から、指定投影面の名称と同名の２次元図をユーザの指示に基づき選択することにより行うようにしてもよい。尚、上記の「指定投影面の名称と同名の２次元図」とは、例えば、「指定投影面」が「底面」の場合は、「底面図」であることを意味している。
【００１８】
上記のようにすることにより、ユーザは、２次元図作成手段２の作成した２次元図の中から基本図と隣接するいずれか一つを選択することで、投影面の選択が行われるので、ＣＡＤ装置に対するユーザの操作を容易化することができる。
【００１９】
上記の場合に、断面図作成手段５は、断面表示部分指定手段３により指定された造作部分の断面を、上記指定投影面の名称と同名の２次元図である指定投影図に投影して、断面図の作成に代えて、該指定投影図上に表示するようにしてもよい。尚、上記の「指定投影面の名称と同名の２次元図である指定投影図」とは、例えば、「指定投影面」が「底面」の場合は、上述したように、「指定投影面の名称と同名の２次元図」は、「底面図」であるので、「底面図」が「指定投影図」であることを意味している。
【００２０】
２次元図作成手段２が作成する２次元図は、いずれも、金型ブロックの各面における外観を表している。従って、上記のようにすることにより、上記指定投影面の名称と同名の２次元図である指定投影図、即ち、金型ブロックの外観図に、造作部分の断面形状が重ねて表示されるので、金型ブロックの外観と金型ブロックに形成されている凹部の形状との関係を容易に把握することができる。
【００２１】
上記の金型ブロックの造作部分は、一般的に、穴、又は、少なくとも一つの底面を備えた凹部、或いは、その双方で形成されている。そこで、上記の凹部の断面を表示させる場合は、上記のＣＡＤ装置において、断面表示部分指定手段３及び断面図作成手段５の機能を、次のように構成するのが好ましい。
【００２２】
即ち、断面表示部分指定手段３は、断面を表示させる凹部の指定を、該凹部における任意の底面と、該底面を通過する任意の切断面とを、上記基本図上に、ユーザの指示に基づき指定することにより行う。そして、断面図作成手段５は、底面を通過する切断面を、上記指定投影面に投影して断面図を作成すると共に、該断面図において断面表示部分指定手段３で指定された底面よりも深い位置の断面形状を無視し、該無視により生じる断面形状の不連続部分を、連続するように線分で補完するようにするのである。
【００２３】
前述したように、金型ブロックでは、一般に、穴以外の凹部のみをモールド成形した後、穴部分等は、ボールマシンを用いて形成する。そのため、金型ブロックの完成品の形状もさることながら、モールド成形で形成される凹部の形状が、確認の対象となる。そこで、金型製作の現場では、モールド成形段階における確認に必要な部分のみが、分かりやすく表示された図面が求められている。
【００２４】
このような状況下で、上記のようにすることにより、金型ブロックにおいて、モールド成形作業やその確認に必要な凹部における底面と、その底面を通過する切断面の指定さえすれば、指定された底面よりも深い位置の断面形状を無視した断面図を作成することができる。従って、簡易な操作で非常に見やすい２次元図を作成することができる。
【００２５】
又、上記の断面表示部分指定手段３は、具体的に、金型ブロックの任意の凹部における任意の底面を通過する切断面の指定を、次のようにするのが好ましい。即ち、断面表示部分指定手段３は、断面を表示させる凹部における底面を通過する切断面の指定を、上記基本図上における凹部の輪郭線上に位置する任意の２点を結んで形成され、且つ、上記底面上を通過する線分を、ユーザの指示に基づき指定することにより行うのである。
【００２６】
このようにすることにより、ユーザは、金型ブロックにおける断面形状を表示させる部分の指定を、容易に行うことができる。
【００２７】
上記のＣＡＤ装置において、上記の金型ブロックの穴の断面を表示させる場合は、断面表示部分指定手段３は、金型ブロックにおける任意の穴の指定を、次のようにするのが好ましい。即ち、断面表示部分指定手段３は、断面を表示させたい任意の穴の指定を、上記基本図上に輪郭線で表示されている穴を、ユーザの指示に基づき、四角の枠で囲むことより行うのである。すると、断面図作成手段５は、断面表示部分指定手段３により指定された穴の中心を通る切断面を、上記指定投影面に投影して断面図を作成する。
【００２８】
このようにすることにより、上記同様、ユーザは、金型ブロックにおける断面形状を表示させる部分の指定を、容易に行うことができる。
【００２９】
又、上記の金型ブロックの外表面に連なるエッジ部分には、面取がなされているのが一般的である。そこで、上記のＣＡＤ装置において、２次元図作成手段２は、面取の稜線を描かずに２次元図を作成するのが好ましい。このようにすることにより、２次元図を、非常に見やすい図面とすることができる。
【００３０】
次に、本発明の２次元図作成方法について説明する。本発明の２次元図作成方法は、造作部分が形成されている金型ブロックの３次元立体図形から、３角法に基づき２次元図を作成するＣＡＤ装置により行われる２次元図作成方法である。この２次元図作成方法は、２次元図作成ステップ、断面表示部分指定ステップ、指定投影面選択ステップ、及び、断面図作成ステップで構成されることを特徴としている。
【００３１】
この内、２次元図作成ステップは、金型ブロックの３次元立体図形の正面、背面、平面、底面、左側面、又は、右側面の２次元面における造作部分の直視可能な形状を投影して、該形状を実線の輪郭線で表示した正面図、背面図、平面図、底面図、左側面図、又は、右側面図の２次元図の少なくとも一つを作成するステップである。
【００３２】
断面表示部分指定ステップは、２次元図作成ステップで作成されたいずれかの２次元図上に表示されている任意の造作部分における該２次元図に垂直な断面を表示させるために、該造作部分をユーザの指示に基づき該２次元図上で指定すると共に、該２次元図を基本図とするステップである。
【００３３】
指定投影面選択ステップは、断面表示部分指定ステップで指定された造作部分の断面を投影する投影面として、基本図の名称と同名の２次元面である基本面に隣接する２次元面のいずれかを、ユーザの指示に基づき選択すると共に、該２次元面を指定投影面とするステップである。
【００３４】
そして、断面図作成ステップは、断面表示部分指定ステップで指定された造作部分の断面を、上記指定投影面に投影して、断面図を作成するステップである。
【００３５】
上記の２次元図作成方法において、指定投影面選択ステップでは、指定投影面の選択を、２次元図作成ステップで作成された２次元図の中から、指定投影面の名称と同名の２次元図をユーザの指示に基づき選択することにより行うようにしてもよい。
【００３６】
上記の場合に、断面図作成ステップでは、断面表示部分指定ステップで指定された造作部分の断面を、上記指定投影面の名称と同名の２次元図である指定投影図に投影して、断面図の作成に代えて、該指定投影図上に表示するようにしてもよい。
【００３７】
上記の金型ブロックの造作部分は、一般的に、穴、又は、少なくとも一つの底面を備えた凹部、或いは、その双方で形成されている。そこで、上記の凹部の断面を表示させる場合は、上記の２次元図作成方法において、断面表示部分指定ステップ及び断面図作成ステップの構成を、次のようにするのが好ましい。
【００３８】
即ち、断面表示部分指定ステップでは、断面を表示させる凹部の指定を、該凹部における任意の底面と、該底面を通過する任意の切断面とを、上記基本図上にユーザの指示に基づき指定することにより行う。そして、断面図作成ステップでは、切断面を上記指定投影面に投影して断面図を作成すると共に、該断面図において、断面表示部分指定ステップで指定された底面よりも深い位置の断面形状を無視し、該無視により生じる断面形状の不連続部分を、連続するように線分で補完するようにするのである。
【００３９】
又、上記の断面表示部分指定ステップでは、具体的に、金型ブロックの任意の凹部における任意の底面を通過する切断面の指定を、次のようにするのが好ましい。即ち、
断面表示部分指定ステップでは、断面を表示させる凹部における底面を通過する切断面の指定を、上記基本図上における凹部の輪郭線上に位置する任意の２点を結んで形成され、且つ、上記底面上を通過する線分を、ユーザの指示に基づき指定することにより行うのである。
【００４０】
上記の２次元図作成方法において、上記の金型ブロックの穴の断面を表示させる場合は、断面表示部分指定ステップでは、金型ブロックにおける任意の穴の指定を、次のようにするのが好ましい。即ち、断面表示部分指定ステップでは、断面を表示させる任意の穴の指定を、上記基本図上に輪郭線で表示されている穴を、ユーザの指示に基づき、四角の枠で囲むようにするのである。すると、断面図作成ステップでは、断面表示部分指定ステップで指定された穴の中心を通る切断面を、上記指定投影面に投影して断面図を作成する。
【００４１】
又、上記の金型ブロックの外表面に連なるエッジ部分には、面取がなされているのが一般的である。そこで、上記の２次元図作成方法において、２次元図作成ステップでは、面取の稜線を描かずに２次元図を作成するのが好ましい。
【００４２】
上記の各２次元図作成方法によれば、上述したＣＡＤ装置を使用して得られる作用、効果と同様の作用、効果を得ることができる。
【００４３】
本発明の２次元図作成プログラムは、上記の各２次元図作成方法が有する各ステップを備えたプログラムであって、ＣＡＤ装置が実行可能なプログラムである。又、本発明のプログラム記録媒体は、上記の２次元図作成プログラムが記録されたプログラム記録媒体である。
【発明の効果】
【００４４】
本発明によれば、ユーザの指示により、金型ブロックにおける、任意の造作部分を指定すると共に、ユーザの指示により、指定投影面を選択することにより、指定された造作部分の断面が、選択された指定投影面に投影された断面図が作成される。そのため、ユーザが指示した造作部分の断面形状のみが表示され、ユーザが指示しない他の造作部分の断面形状は表示されない断面図を作成することができる。従って、非常に見やすい２次元図を作成することができる。
【００４５】
又、ユーザは、作成された２次元図の中から基本図と隣接するいずれか一つを選択することで、投影面の選択が行われるので、ＣＡＤ装置に対するユーザの操作を容易化することができる。
【００４６】
又、ユーザの指示により選択された指定投影面の名称と同名の２次元図である指定投影図、即ち、金型ブロックの外観図に、造作部分の断面形状を重ねて表示することができるので、金型ブロックの外観と金型ブロックに形成されている凹部の形状との関係を容易に把握することができる。
【００４７】
又、金型ブロックの造作部分が凹部の場合、この凹部における底面とその底面を通過する切断面の指定さえすれば、指定された底面よりも深い位置の断面形状を無視した断面図を作成することができる。この場合に、上記の切断面の指定を、基本図上における凹部の輪郭線上に位置する任意の２点を結んで形成され、且つ、底面上を通過する線分を、指定することにより行うことができる。又、金型ブロックの造作部分が穴の場合、この穴の指定を、この穴を四角の枠で囲むことより行うことができる。従って、簡易な操作で非常に見やすい２次元図を作成することができる。
【００４８】
又、金型ブロックの面取の稜線を描かずに基本図を作成することができるので、非常に見やすい２次元図を作成することができる。
【発明を実施するための最良の形態】
【００４９】
以下、本発明の実施の形態におけるＣＡＤ装置について、図面を参照しながら詳しく説明する。本実施の形態におけるＣＡＤ装置は、成形機に装着して使用されるモールドベースを構成している金属製の固定側取付板や、固定側型板、可動側型板、可動側取付板、キャビティ、コア等の金型ブロックの加工設計に用いられる３次元ＣＡＤ装置であり、ハードウエアとソフトウエアとで構成される。この３次元ＣＡＤ装置は、３次元空間に作成された金型ブロックの３次元立体図形から、３角法に基づき、金型ブロックの２次元図を作成する機能を備えており、この機能に、本発明の特徴である指定した部分の断面形状を作成する機能を含んでいる。
【００５０】
本実施の形態におけるＣＡＤ装置のハードウエアとしては、ワークステーションや高性能のパソコンが用いられる。これらのワークステーションやパソコンを用いたＣＡＤ装置は、一般に、図２に示すような構成である。即ち、本実施の形態におけるＣＡＤ装置１０は、図２において、ＣＰＵ１１、メモリ１２、キーボード１３、マウス１４、表示装置１５、及び、プリンタ１６で構成されている。
【００５１】
上記のＣＡＤ装置１０のメモリ１２には、本実施の形態で必要な各種ソフトウエアが搭載されており、本実施の形態におけるＣＡＤ装置１０の機能は、これらのソフトウエアを実行することにより実現される。又、上記のＣＡＤ装置１０には、３次元立体図形を作成するためのソフトウエアが搭載されており、本実施の形態では、この３次元立体図形作成用ソフトウエアを用いて作成された３次元立体図形のデータが、メモリ１２に記憶されている。
【００５２】
３次元ＣＡＤ装置における３次元立体図形を表現するデータ構造としては、種々の方法が存在する。本実施の形態では、ＢＲＥＰ（境界表現）構造モデルと称されるデータ構造を採用している。ＢＲＥＰ構造モデルでは、３次元立体図形で表示される１個のソリッドモデルであるボディに対して、このボディを構成する面やその面を囲むエッジ等を単位要素として、データが構成されている。即ち、３次元立体図形のデータは、ボディ、シェル、フェイス、ループ、フィン、エッジ、及び、バーテックスの各要素が順に連鎖状に関連付けられて構成されている。従って、モデル全体を構成する要素を、どの要素からも検索、参照することができる。
【００５３】
上記のＣＡＤ装置１０は、上述したように、モールドベースを構成している金属製の固定側取付板や、固定側型板、可動側型板、可動側取付板、キャビティ、コア等の金型ブロックの加工設計に用いられる。本実施の形態では、説明を分かりやすくするために、このような金型ブロックの例として金型ブロックを模式化したものを用いており、図３は、上記のＣＡＤ装置１０の３次元立体図形作成用ソフトウエアで作成され、メモリ１２に記憶されている模式化された金型ブロック４０の３次元立体図形を示したものである。この金型ブロック４０の３次元立体図形では、この３次元立体図形における平面、背面、正面、左側面、右側面、及び、底面を、図３に示すように規定しており、この金型ブロック４０には、平面側から底面側に向かって凹んでいる凹部や、平面側から底面側に向かって凹んでいるか貫通している穴、左右の両側面間を貫通している穴、或いは、平面側に突出している凸部等が形成されている。
【００５４】
即ち、金型ブロック４０は、平面３１、背面３２、正面３３、左側面３４、右側面３５、及び、底面３６を備えている。又、金型ブロック４０には、平面３１から底面３６に貫通している貫通穴４１、平面３１から底面３６に向かって凹んでいる矩形窪４２、矩形窪４２の底面４２ａから底面３６に貫通している貫通穴４３，４４、矩形窪４２の底面４２ａから底面３６に向かって凹んでいる穴窪４５、穴窪４５の底面４５ａから更に底面３６に貫通している貫通穴４６、平面３１から突出している円柱４７、及び、左側面３４と右側面３５との間を貫通している貫通穴４８，４９が形成されている。
【００５５】
図４は、図３に示す金型ブロック４０の３次元立体図形から、一般的なＣＡＤ装置を用いて一般的な方法で作成された、平面図１２１、背面図１２２、正面図１２３、左側面図１２４、及び、右側面図１２５を示したものである。図４から分かるように、一般的なＣＡＤ装置で作成された２次元図には、看視方向から直接見えない形状は、全て、点線等を用いて、隠線として表示される。このため、側部の形状を表す複数の隠線が重なり合って、非常に見にくい図面となっている。例えば、図４において、平面図１２１はともかく、背面図１２２、正面図１２３、左側面図１２４、及び、右側面図１２５には、平面３１から底面３６に向かって凹んでいる凹部や穴の全ての側部の形状が隠線で表示されており、図４の左側面図１２４、及び、右側面図１２５からも分かるように、これらの隠線が重なり合って、非常に見にくい図面となっている。
【００５６】
前述したように、金型ブロック４０の２次元図では、必ずしも凹部や穴の全ての側部の形状を表示する必要はなく、必要とする部分のみを表示させることで十分である。本実施の形態では、この趣旨に沿って、上記のＣＡＤ装置１０を用いて、金型ブロック４０の３次元立体図形から金型ブロック４０の２次元図を作成すると共に、指定した部分の断面形状を作成して表示しようとするものである。
【００５７】
図５は、本実施の形態における、金型ブロック４０の３次元立体図形から金型ブロック４０の２次元図を作成すると共に、金型ブロック４０の指定した部分の断面形状を作成して表示するＣＡＤ装置１０の動作を示したフローチャートである。この動作は、２次元図作成ステップ（Ｓ１）、断面表示部分指定ステップ（Ｓ２）、指定投影面選択ステップ（Ｓ３）、及び、断面図作成ステップ（Ｓ４）で構成されている。尚、本実施の形態では、断面形状を表示するための専用の前述した断面図を作成するのではなく、２次元図作成ステップ（Ｓ１）で作成された２次元図の中から、指定投影面選択ステップ（Ｓ３）で選択された２次元図である指定投影図に、断面図作成ステップ（Ｓ４）で断面形状を作成して表示することで、前述した断面図の作成に代えている。
【００５８】
具体的な上記のＣＡＤ装置１０動作としては、ＣＡＤ装置１０において、まず、ユーザが、金型ブロック４０の３次元立体図形に基づく２次元図の作成ソフトウエアを起動すると、ＣＡＤ装置１０は、上記の各ステップを順に実行する。これらの各ステップにおける状態は、ＣＡＤ装置１０の表示装置１５に表示される。以下、これらの各ステップについて、本実施の形態で用いられている上述した図３に示す金型ブロック４０を用いて説明する。
【００５９】
最初に、２次元図作成ステップ（Ｓ１）では、金型ブロック４０の３次元立体図形から、２次元図を作成する。本実施の形態における上記の２次元図の作成ソフトウエアでは、２次元図として、平面図、背面図、正面図、左側面図、及び、右側面図を作成する設定としている。作成されるこれらの２次元図は、金型ブロック４０の各面で直視可能な形状のみを実線で描くものである。図６は、これらの２次元図を示したものであり、２１は平面図、２２は背面図、２３は正面図、２４は左側面図、そして、２５は右側面図である。
【００６０】
次に、断面表示部分指定ステップ（Ｓ２）に移行する。この断面表示部分指定ステップ（Ｓ２）では、金型ブロック４０における、断面形状を表示させたい任意の凹部、又は、任意の穴を、２次元図作成ステップ（Ｓ１）で作成され、ＣＡＤ装置１０の表示装置１５に表示されているいずれかの２次元図上に指定する。指定用の２次元図としては、２次元図作成ステップ（Ｓ１）で作成された２次元図のいずれでもよいが、本実施の形態では、平面図２１上に指定するものとする。平面図２１上で指定が行われると、この平面図２１は前述した基本図として認識される。
【００６１】
平面図２１上で指定する部分としては、凹部、又は、穴のいずれでもよいが、ここでは、凹部を指定するものとする。この凹部の指定は、任意の表示させたい凹部が備えている任意の表示させたい底面と、この底面を通過する任意の表示させたい切断面とを指定することにより行われ、この切断面の指定は、上記の凹部の輪郭線上に位置する２点を結ぶ線分を指定することにより行われる。この指定は、ユーザの指示に基づいて行われる。
【００６２】
即ち、ＣＡＤ装置１０の表示装置１５には、図６で示すような内容が表示されている。そこで、例えば、表示させたい凹部として、矩形窪４２を指定する場合は、まず、表示させたい底面として、図７に示すように、ユーザがＣＡＤ装置１０のマウス１４を用いてＣＡＤ装置１０の表示装置１５に表示されている画面中の、矩形窪４２の備える矩形窪底面４２ａをクリックする。すると、図８に示すように、矩形窪４２及びその内側に存在する、貫通穴４３、貫通穴４４、穴窪４５、及び、貫通穴４６が点滅して、矩形窪底面４２ａが指定されたことが表示される。そこで、図９に示すように、ユーザがＣＡＤ装置１０のマウス１４を用いて、矩形窪４２の輪郭線上に位置する２点である始点５１から終点５２を結ぶ線分５３を指定する。すると、この線分５３が切断面として指定され、ＣＡＤ装置１０の表示装置１５に、図９に示すように表示される。
【００６３】
次に、指定投影面選択ステップ（Ｓ３）に移行する。この指定投影面選択ステップ（Ｓ３）では、断面表示部分指定ステップ（Ｓ２）で指定された部分の断面を表示させる２次元図を選択する。具体的には、断面を表示させる部分を指定した２次元図、即ち、基本図である平面図２１と隣接する２次元図のいずれかを選択する。平面図２１と隣接する２次元図は、図６に示すように、平面図２１を除く、２次元図作成ステップ（Ｓ１）で作成された全ての図、即ち、背面図２２、正面図２３、左側面図２４、及び、右側面図２５が該当する。ここでは、この中から、正面図２３を選択するものとする。この選択により選択された正面図２３が、金型ブロック４０における上記の指定部分の断面形状を投影する２次元図として選択される。正面図２３が選択されると、この正面図２３は前述した指定投影図として認識される。この選択は、ユーザの指示に基づいて行われる。
【００６４】
即ち、ＣＡＤ装置１０の表示装置１５には、図９で示すような内容が表示されている。そこで、図１０に示すように、ユーザがＣＡＤ装置１０のマウス１４を用いて、ＣＡＤ装置１０の表示装置１５に表示されている画面中の正面図２３をクリックする。すると、図１１に示すように、正面図２３が点滅表示され、正面図２３が、断面形状を投影する２次元図として選択されたことが表示される。
【００６５】
上記のようにして、断面を表示させたい部分の指定とこの断面を投影する２次元図の選択が終了すると、断面図作成ステップ（Ｓ４）に移行する。この断面図作成ステップ（Ｓ４）では、上記の各点滅を停止すると共に、上記の断面表示部分指定ステップ（Ｓ２）で指定された部分の断面形状を、指定投影面選択ステップ（Ｓ３）で選択された２次元図、ここでは、指定投影図である正面図２３に投影して表示する。この断面形状の表示は、断面表示部分指定ステップ（Ｓ２）で指定された任意の底面よりも深い位置の断面形状が無視され、該無視により生じる断面形状の不連続部分が、連続するように線分で補完される。
【００６６】
この補完動作について、上記の矩形窪４２の場合についてみると、図１２(ａ)に示すように、金型ブロック４０の中心線３７に沿った断面形状は、図１２(ｂ)のようになる。しかし、上記の線分５３で指定された部分は、図１２(ａ)のＡの範囲であり、しかも、指定された底面は、矩形窪底面４２ａである。そこで、矩形窪底面４２ａよりも深い位置の断面形状は無視される。即ち、貫通穴４３、貫通穴４４、穴窪４５、及び、貫通穴４６の断面形状は無視される。すると矩形窪４２の断面形状は、図１２(ｃ)に示すように、不連続線となるが、無視された結果により不連続となった部分は、連続するように線分で補完されるため、図１２(ｄ)に示すようになる。このようにして補完された断面形状が、矩形窪４２の断面形状として、指定投影面選択ステップ（Ｓ３）で選択された２次元図、即ち、指定投影図である正面図２３に投影されて、図１３に示すように、正面図２３上に点線で表示される。
【００６７】
上記の断面図作成ステップ（Ｓ４）において、金型ブロック４０における矩形窪底面４２ａを通過する線分５３で指定された切断面の形状は、次のようにして作成される。即ち、ＢＲＥＰ構造モデルで構成されている金型ブロック４０の３次元立体図形のデータを検索、参照して、線分５３の座標データを基に、矩形窪４２を構成するデータと線分５３とが重なる部分を演算する。そして、矩形窪底面４２ａを表すフェイスデータにより、矩形窪底面４２ａよりも深い位置の部分を無視して、不連続となる部分の補完の演算を行い、矩形窪４２の断面形状を作成するのである。
【００６８】
上述した断面図作成ステップ（Ｓ４）による断面形状の表示により、一連の処理が終了するが（Ｓ５）、断面形状を表示させたい指定部分がほかにもある場合は（Ｓ５）、断面表示部分指定ステップ（Ｓ２）に戻って、上記の処理を継続する。ここでは、次に、貫通穴４１の断面表示を行わせることにする。
【００６９】
そのため、断面表示部分指定ステップ（Ｓ２）に戻って、金型ブロック４０における、断面形状を表示させたい貫通穴４１を指定する。ここでは、上述した凹部と同様に、平面図２１上に指定するものとする。この場合は、表示させたい穴を、四角の枠で囲むことより行う。この指定は、ユーザの指示に基づいて行われる。
【００７０】
即ち、図１４に示すように、ユーザがＣＡＤ装置１０のマウス１４を用いて、ＣＡＤ装置１０の表示装置１５に表示されている、金型ブロック４０の平面図２１上で、貫通穴４１を四角の枠で囲む。具体的には、ＣＡＤ装置１０のマウス１４を用いて、貫通穴４１の近傍の一点をクリックして四角形の一角を指定すると共に、この四角形の対角線を描くような方向にマウス１４をドラッグして、対角を指定する。すると、図１４に示すように、貫通穴４１が四角の枠で囲まれて、貫通穴４１が指定される。
【００７１】
次に、指定投影面選択ステップ（Ｓ３）に移行して、貫通穴４１の断面を表示する２次元図を選択する。ここでも、上記と同様、正面図２３を選択するものとする。即ち、図１５に示すように、ユーザがＣＡＤ装置１０のマウス１４を用いて、ＣＡＤ装置１０の表示装置１５に表示されている画面中の正面図２３をクリックする。すると、図１６に示すように、正面図２３が点滅表示され、正面図２３が、断面形状を投影する２次元図として選択されたことが表示される。
【００７２】
そこで、断面図作成ステップ（Ｓ４）に移行し、上記の点滅を停止すると共に、貫通穴４１の中心を通り、且つ、指定投影面選択ステップ（Ｓ３）で指定された貫通穴４１の断面形状を投影させる正面図２３と平行な貫通穴４１の切断面の断面形状が、図１７に示すように、正面図２３上に点線で表示される。
【００７３】
上述した断面図作成ステップ（Ｓ４）による断面形状の表示により、一連の処理が終了するが（Ｓ５）、更に、断面形状を表示させたい指定部分がほかにもある場合は（Ｓ５）、断面表示部分指定ステップ（Ｓ２）に戻って、上記の処理を継続する。ここでは、更に、貫通穴４８の断面表示を行わせることにする。
【００７４】
そのため、断面表示部分指定ステップ（Ｓ２）に戻って、図１８に示すように、右側面図２５上で、貫通穴４８を、貫通穴４１の場合と同様に、四角の枠で囲んで指定する。すると、図１７に示すように、貫通穴４８が四角の枠で囲まれて、貫通穴４８が指定されたことが表示される。
【００７５】
次に、指定投影面選択ステップ（Ｓ３）に移行して、貫通穴４８の断面を表示する２次元図である指定投影図を選択する。ここでは、右側面図２５と隣接する平面図２１を選択するものとする。即ち、図１９に示すように、ユーザがＣＡＤ装置１０のマウス１４を用いて、ＣＡＤ装置１０の表示装置１５に表示されている画面中の平面図２１をクリックする。すると、図２０に示すように、平面図２１が点滅表示され、平面図２１が、断面形状を投影する指定投影図として選択されたことが表示される。
【００７６】
そこで、断面図作成ステップ（Ｓ４）に移行し、上記の点滅を停止すると共に、貫通穴４８の中心を通り、且つ、指定投影図である平面図２１と平行な貫通穴４８の断面形状が、図２１に示すように、平面図２１上に点線で表示される。
【００７７】
上記のようにして断面図作成ステップ（Ｓ４）による貫通穴４８の断面形状の表示が終了すると、他に、断面形状を表示させたい指定部分がない場合は（Ｓ５）、全ての処理を終了する。又、ＣＡＤ装置１０の動作中にＣＡＤ装置１０の表示装置１５に表示された表示内容は、ＣＡＤ装置１０のプリンタ１６でプリントすることができる。
【００７８】
上記の断面図作成ステップ（Ｓ４）において、貫通穴４１や貫通穴４８の断面形状は、次のように作成される。即ち、四角の枠の座標データを基に、ＢＲＥＰ構造モデルで構成されている金型ブロック４０の３次元立体図形のデータを検索して貫通穴４１や貫通穴４８に関するデータを求め、このデータを基に貫通穴４１や貫通穴４８の断面形状を作成するのである。
【００７９】
本実施の形態におけるＣＡＤ装置１０によれば、断面表示部分指定ステップ（Ｓ２）で、ユーザの指示により金型ブロック４０における、任意の造作部分を指定すると共に、指定投影面選択ステップ（Ｓ３）で、ユーザの指示により、指定投影面を選択することにより、指定された造作部分の断面が、選択された指定投影図に投影されて表示される。そのため、ユーザが指示した造作部分の断面形状のみが表示され、ユーザが指示しない他の造作部分の断面形状は表示されない２次元図を作成することができる。従って、非常に見やすい２次元図を作成することができる。
【００８０】
又、本実施の形態におけるＣＡＤ装置１０では、ユーザは、２次元図作成ステップ（Ｓ１）で作成された２次元図の中から基本図と隣接するいずれか一つを選択することで、断面を投影する投影面の選択が行われるので、ＣＡＤ装置に対するユーザの操作を容易化することができる。
【００８１】
又、２次元図作成ステップ（Ｓ１）で作成される２次元図は、いずれも、金型ブロック４０の各面における外観を表している。従って、指定投影図、即ち、金型ブロック４０の外観図に、造作部分の断面形状を重ねて表示することができるので、金型ブロック４０の外観と金型ブロック４０に形成されている凹部の形状との関係を容易に把握することができる。
【００８２】
又、金型ブロック４０の造作部分が凹部の場合、この凹部における底面とその底面を通過する切断面の指定さえすれば、指定された底面よりも深い位置の断面形状を無視した断面図を作成することができる。この場合に、上記の切断面の指定を、基本図上における凹部の輪郭線上に位置する任意の２点を結んで形成され、且つ、底面上を通過する線分を、指定することにより行うことができる。又、金型ブロック４０の造作部分が穴の場合、この穴の指定を、この穴を四角の枠で囲むことより行うことができる。従って、簡易な操作で非常に見やすい２次元図を作成することができる。
【００８３】
上記のＣＡＤ装置１０では、２次元図作成ステップ（Ｓ１）で作成される２次元図は、平面図２１、背面図２２、正面図２３、左側面図２４、及び、右側面図２５であるが、これより少ない、例えば、平面図２１と正面図２３のみとするようにしてもよい。又、２次元図作成ステップ（Ｓ１）で作成する２次元図を、２次元図作成ステップ（Ｓ１）に進む前に、予め、ユーザが、ＣＡＤ装置１０のキーボード１３やマウス１４により入力して設定できるようにしてもよい。このように、２次元図作成ステップ（Ｓ１）で作成される２次元図を絞り込んだ場合は、断面表示部分指定ステップ（Ｓ２）における断面形状を表示させる部分の指定に用いる２次元図である基本図や、この断面形状を表示させる指定投影図は、絞り込んだ２次元図のいずれかに制約されることになる。
【００８４】
又、上記のＣＡＤ装置１０では、２次元図作成ステップ（Ｓ１）で作成された２次元図に、金型ブロック４０の指定した部分の断面を表示しているが、２次元図作成ステップ（Ｓ１）で作成された２次元図を用いずに、断面を表示した専用の断面図を作成するようにしてもよい。この場合は、指定投影面選択ステップ（Ｓ３）では、例えば、ＣＡＤ装置１０の表示装置１５に表示する画面上に、基本面に隣接する面を表す文言、例えば、基本面が「平面」であれば、「正面」、「背面」、「左側面」、及び、「右側面」を表示して、この文言のいずれかを、選択することで、選択された指定投影面に断面が投影された断面図が作成されるようにすることができる。
【００８５】
又、上記のＣＡＤ装置１０では、断面表示部分指定ステップ（Ｓ２）において、金型ブロック４０における、断面形状を表示させたい部分の指定を、１度に１箇所のみとしているが、１度に複数箇所、指定するようにしてもよい。この場合は、任意の凹部や任意の穴を混在して指定することができる。
【００８６】
又、上記のＣＡＤ装置１０では、断面表示部分指定ステップ（Ｓ２）における表示させたい部分の指定や、指定投影面選択ステップ（Ｓ３）における２次元図の選択を行うと、該当部分が点滅表示するようにしているが、点滅表示に代えて、例えば、濃い赤色でハイライト表示させるようにしてもよい。
【００８７】
ところで、上記の本実施の形態で用いられている金型ブロック４０には、面取がなされていないが、一般に、金型ブロックでは、金型ブロックの外表面に連なるエッジ部分には、面取がなされている。そこで、金型ブロックに面取がなされている場合、一般的なＣＡＤ装置を用いて一般的な方法で作成された２次元図では、面取の稜線が表示されるが、これも、２次元図を見にくくする要因となる。そこで、２次元図作成ステップ（Ｓ１）で作成される２次元図には、面取の稜線を描かないようにするのが好ましい。
【００８８】
例えば、図２２で示すような面取がなされている金型ブロックの平面図、正面図、及び、左側面図を、一般的なＣＡＤ装置を用いて一般的な方法で作成すると、それぞれ、図２３(ａ)、図２３(ｂ)、図２３(ｃ)に示すように、面取の稜線である線分６１〜線分６９が表示された２次元図となる。これを、それぞれ、図２４(ａ)、図２４(ｂ)、図２４(ｃ)に示すようにするのである。この面取の稜線を描かない２次元図の作成は、次のようにして行われる。
【００８９】
即ち、２次元図作成ステップ（Ｓ１）において、平面図２１、背面図２２、正面図２３、左側面図２４、及び、右側面図２５を作成する際、それぞれの２次元で、対象図形の全周にわたって、最も外側に位置する外周を表す線分から、所定の距離、例えば、１〜２ｍｍの範囲内の値しか離れていない線分を、面取を表す線分として、削除するのである。この削除は、ＢＲＥＰ構造モデルで構成されている金型ブロック４０の３次元立体図形のデータを検索、参照して、上記の条件に該当するエッジデータを検索して削除することにより行なわれる。
【００９０】
上記のように、面取の稜線を描かずに２次元図を作成することにより、２次元図を、非常に見やすい図面とすることができる。
【図面の簡単な説明】
【００９１】
【図１】本発明のＣＡＤ装置の構成を示したブロック図である。
【図２】本実施の形態におけるＣＡＤ装置のハードウエアの構成を示したブロック図である。
【図３】本実施の形態で用いられる金型ブロックを表した斜視図である。
【図４】本実施の形態で用いられる金型ブロックを表した２次元図である。
【図５】本実施の形態におけるＣＡＤ装置の動作を示したフローチャートである。
【図６】本実施の形態におけるＣＡＤ装置の表示装置に表示される図(その１)である。
【図７】本実施の形態におけるＣＡＤ装置の表示装置に表示される図(その２)である。
【図８】本実施の形態におけるＣＡＤ装置の表示装置に表示される図(その３)である。
【図９】本実施の形態におけるＣＡＤ装置の表示装置に表示される図(その４)である。
【図１０】本実施の形態におけるＣＡＤ装置の表示装置に表示される図(その５)である。
【図１１】本実施の形態におけるＣＡＤ装置の表示装置に表示される図(その６)である。
【図１２】(ａ)、(ｂ)、(ｃ)及び(ｄ)は、本実施の形態における断面図作成ステップの動作説明図である。
【図１３】本実施の形態におけるＣＡＤ装置の表示装置に表示される図(その７)である。
【図１４】本実施の形態におけるＣＡＤ装置の表示装置に表示される図(その８)である。
【図１５】本実施の形態におけるＣＡＤ装置の表示装置に表示される図(その９)である。
【図１６】本実施の形態におけるＣＡＤ装置の表示装置に表示される図(その１０)である。
【図１７】本実施の形態におけるＣＡＤ装置の表示装置に表示される図(その１１)である。
【図１８】本実施の形態におけるＣＡＤ装置の表示装置に表示される図(その１２)である。
【図１９】本実施の形態におけるＣＡＤ装置の表示装置に表示される図(その１３)である。
【図２０】本実施の形態におけるＣＡＤ装置の表示装置に表示される図(その１４)である。
【図２１】本実施の形態におけるＣＡＤ装置の表示装置に表示される図(その１５)である。
【図２２】面取されている金型ブロックの一部を示した斜視図である。
【図２３】面取されている金型ブロックを一般的なＣＡＤ装置を用いて一般的な方法で作成した２次元図であり、(ａ)は平面図、(ｂ)は正面図、そして、(ｃ)は左側面図である。
【図２４】面取されている金型ブロックを本実施の形態における方法で作成した２次元図であり、(ａ)は平面図、(ｂ)は正面図、そして、(ｃ)は左側面図である。
【符号の説明】
【００９２】
１  ３次元立体図形
２  ２次元図作成手段
３  断面表示部分指定手段
４  指定投影面選択手段
５  断面図作成手段
１０  ＣＡＤ装置
１１  ＣＰＵ
１２  メモリ
１３  キーボード
１４  マウス
１５  表示装置
１６  プリンタ
２１  平面図
２２  背面図
２３  正面図
２４  左側面図
２５  右側面図
３１  平面
３２  背面
３３  正面
３４  左側面
３５  右側面
３６  底面
３７  中心線
４０  金型ブロック
４１  貫通穴
４２  矩形窪
４２ａ  矩形窪底面
４３  貫通穴
４４  貫通穴
４５  穴窪
４５ａ  穴窪底面
４６  貫通穴
４７  円柱
４８  貫通穴
４９  貫通穴
５１  始点
５２  終点
５３  線分
６１  線分
６２  線分
６３  線分
６４  線分
６５  線分
６６  線分
６７  線分
６８  線分
６９  線分
１２１  平面図
１２２  背面図
１２３  正面図
１２４  左側面図
１２５  右側面図
【図１】
2007080080.tif 000003
【図２】
2007080080.tif 000004
【図３】
2007080080.tif 000005
【図４】
2007080080.tif 000006
【図５】
2007080080.tif 000007
【図６】
2007080080.tif 000008
【図７】
2007080080.tif 000009
【図８】
2007080080.tif 000010
【図９】
2007080080.tif 000011
【図１０】
2007080080.tif 000012
【図１１】
2007080080.tif 000013
【図１２】
2007080080.tif 000014
【図１３】
2007080080.tif 000015
【図１４】
2007080080.tif 000016
【図１５】
2007080080.tif 000017
【図１６】
2007080080.tif 000018
【図１７】
2007080080.tif 000019
【図１８】
2007080080.tif 000020
【図１９】
2007080080.tif 000021
【図２０】
2007080080.tif 000022
【図２１】
2007080080.tif 000023
【図２２】
2007080080.tif 000024
【図２３】
2007080080.tif 000025
【図２４】
2007080080.tif 000026